(57)【要約】【課題】  前処理部の縦方向軸を支点とする一側への退避回動により、脱穀部前方を開放可能なコンバインにおいて、前処理部とフィードチェン始端部との干渉を比較的簡単な構成によって回避し、構造の簡略化やコストダウンを図る。【解決手段】  茎稈の刈取処理を行う前処理部２と、前処理部２の後方で刈取茎稈の脱穀処理を行う脱穀部３と、前処理部２が刈り取った茎稈を脱穀部３の一側に沿って搬送するフィードチェン１２とを備えるコンバイン１において、前処理部２の縦方向軸１４を支点とする一側への退避回動により、脱穀部３の前方を開放可能とするにあたり、フィードチェン１２の始端部を下方へ移動可能に構成する。【選択図】        図４
2006197828.tif 000002
【特許請求の範囲】
【請求項１】
茎稈の刈取処理を行う前処理部と、前処理部の後方で刈取茎稈の脱穀処理を行う脱穀部と、前処理部が刈り取った茎稈を脱穀部の一側に沿って搬送するフィードチェンとを備えるコンバインにおいて、
前記前処理部の縦方向軸を支点とする一側への退避回動により、脱穀部前方を開放可能とするにあたり、フィードチェン始端部を下方へ移動可能に構成したことを特徴とするコンバイン。
【請求項２】
前記フィードチェン始端部を、横方向軸を支点として下方へ回動させることを特徴とする請求項１記載のコンバイン。
【請求項３】
前記フィードチェンの支持部材を前後に分割し、前側支持部材を後側支持部材に対して上下回動可能に支持することにより、フィードチェン始端部を下方へ移動させることを特徴とする請求項２記載のコンバイン。
【請求項４】
前記前側支持部材を前後方向に並ぶ複数のボルトで後側支持部材に固定し、前側ボルト又は後側ボルトを支点としてフィードチェン始端部を下方へ回動させることを特徴とする請求項３記載のコンバイン。
【請求項５】
前記フィードチェンのテンションプーリを、前側支持部材で支持したことを特徴とする請求項３又は４記載のコンバイン。
【発明の詳細な説明】
【技術分野】
【０００１】
本発明は、前処理部の縦方向軸を支点とする一側への退避回動により、脱穀部前方を開放可能なコンバインに関する。
【背景技術】
【０００２】
前処理部の縦方向軸を支点とする一側への退避回動により、脱穀部前方を開放可能なコンバインが知られている。しかしながら、この種のコンバインでは、一側へ退避回動させた前処理部がフィードチェンの始端部に干渉する惧れがあるため、前処理部の退避回動角が不足し、脱穀部前方を十分に開放できない可能性がある。
【０００３】
そこで、退避回動させた前処理部とフィードチェン始端部との干渉を避けるための提案がなされている（特許文献１、２参照）。例えば、特許文献１に記載のコンバインでは、脱穀部全体を後方へ摺動可能に構成し、また、特許文献２に記載のコンバインでは、フィードチェン全体を機体外側方へ回動可能に構成することにより、前処理部とフィードチェン始端部との干渉を防止している。
【特許文献１】実開昭６０−６８９４５号公報
【特許文献２】実公平７−７７００号公報
【発明の開示】
【発明が解決しようとする課題】
【０００４】
しかしながら、脱穀部全体を後方へ摺動させたり、フードチェン全体を機体外側方へ回動させるには、きわめて大掛かりな改造を必要とするため、構造が複雑になるだけでなく、大幅なコストアップを招来する不都合がある。
【課題を解決するための手段】
【０００５】
本発明は、上記の如き実情に鑑みこれらの課題を解決することを目的として創作されたものであって、茎稈の刈取処理を行う前処理部と、前処理部の後方で刈取茎稈の脱穀処理を行う脱穀部と、前処理部が刈り取った茎稈を脱穀部の一側に沿って搬送するフィードチェンとを備えるコンバインにおいて、前記前処理部の縦方向軸を支点とする一側への退避回動により、脱穀部前方を開放可能とするにあたり、フィードチェン始端部を下方へ移動可能に構成したことを特徴とする。このように構成すれば、比較的簡単な構成によって、前処理部とフィードチェン始端部との干渉を回避できるので、構造の複雑化や大幅なコストアップも回避することが可能になる。
また、前記フィードチェン始端部を、横方向軸を支点として下方へ回動させることを特徴とする。このように構成すれば、フィードチェン始端部を下方へ移動させるための構造が簡単になるだけでなく、フィードチェン始端部の移動を円滑に行うことができる。
また、前記フィードチェンの支持部材を前後に分割し、前側支持部材を後側支持部材に対して上下回動可能に支持することにより、フィードチェン始端部を下方へ移動させることを特徴とする。このように構成すれば、フィードチェン支持部材を前後に分割する程度の簡単な構成によって、フィードチェン始端部を下方へ移動させることができる。
また、前記前側支持部材を前後方向に並ぶ複数のボルトで後側支持部材に固定し、前側ボルト又は後側ボルトを支点としてフィードチェン始端部を下方へ回動させることを特徴とする。このように構成すれば、固定用のボルトを利用してフィードチェン始端部を回動させることができるので、更なる構造の簡略化が図れる。特に、前側ボルトを支点として回動させる場合は、前側支持部材と後側支持部材の間に形成される段差が後ろ向きとなるので、段差におけるフィードチェンの引っ掛かりも回避することができる。
また、前記フィードチェンのテンションプーリを、前側支持部材で支持したことを特徴とする。このように構成すれば、前側支持部材と一緒にテンションプーリを回動させ、フィードチェンを緩めることが可能になる。これにより、フィードチェン始端部の回動を容易にし、前処理開放時の作業性を向上させることができる。
【発明を実施するための最良の形態】
【０００６】
次に、本発明の実施形態について、図面に基づいて説明する。図１及び図２において、１はコンバインであって、該コンバイン１は、茎稈の刈取処理を行う前処理部２と、前処理部２の後方で刈取茎稈の脱穀処理及び選別処理を行う脱穀部３と、脱穀部３の後方で排藁の後処理を行う後処理部４と、選別した穀粒を貯溜する穀粒タンク５と、運転席や操作具が配置される操作部６と、クローラ式の走行部７とを備えて構成されている。
【０００７】
前処理部２は、未刈り茎稈を分草するデバイダ８と、茎稈を引き起す引起し装置９と、茎稈の株元側を掻込む掻込み装置１０と、茎稈の株元を切断する刈刃装置１１と、刈り取った茎稈を、脱穀部３に設けられるフィードチェン１２の始端部まで搬送する扱深さ搬送装置１３とを備えて構成され、機体前部に昇降自在に連結されている。
【０００８】
また、前処理部２は、図２に示すように、縦方向軸１４を支点とする一側方（左側方）への退避回動が許容される。つまり、コンバイン１は、前処理部２を機体前方に位置する作業姿勢と、機体前方から一側方へ退避する退避姿勢とに変姿させるための構成を備えており、そして、前処理部２を退避姿勢とした場合には、脱穀部３の前方が広く開放され、エンジンやミッションケースのメンテナンスが容易になる。ただし、このようなコンバイン１では、一側へ退避回動させた前処理部２がフィードチェン１２の始端部に干渉する惧れがあるため、前処理部２の退避回動角が不足し、脱穀部３の前方を十分に開放できない可能性がある。
【０００９】
脱穀部３の左側部には、前後方向を向いてフィードチェン１２が配置されている。フィードチェン１２は、前処理部２から供給される茎稈を始端部で引き継ぐと共に、引き継いだ茎稈を図示しない挟扼レールとの間で挟持しつつ、後方に向けて搬送するように構成されている。フィードチェン１２で挟持搬送される茎稈の穂先側は、脱穀部３の扱室１５に導入されると共に、ここに内装される扱胴１６の回転脱穀作用を受ける。そして、扱胴１６によって脱穀された穀粒は、脱穀部３の選別室（図示せず）で選別され、穀粒タンク５に貯溜される。
【００１０】
図３に示すように、フィードチェン１２は、前側従動スプロケット１７と後側従動スプロケット１８との間に懸回されると共に、両スプロケット１７、１８間で支持部材１９、２０に摺動ガイドされる。この支持部材１９、２０で摺動ガイドされる部分がフィードチェン１２の搬送作用範囲であり、それ以外の部分で駆動スプロケット２１及びテンションプーリ２２に懸回されている。テンションプーリ２２は、前後回動自在なアーム２３の先端部に回転自在に設けられ、バネ２４の付勢力でフィードチェン１２に適度な張力を与える。
【００１１】
本発明では、前処理部２の縦方向軸１４を支点とする一側への退避回動により、脱穀部３の前方を開放可能とするにあたり、フィードチェン１２の始端部を下方へ移動可能に構成することによって、前処理部２とフィードチェン１２の始端部との干渉を回避するようにしてある。この場合、フィードチェン１２の始端部は、左右方向を向く横方向軸を支点として下方へ回動させることが好ましい。このようにすると、比較的簡単な構成によって、前処理部２とフィードチェン１２の始端部との干渉を回避できるだけでなく、フィードチェン１２の始端部を円滑に移動させることが可能になる。以下、フィードチェン１２の始端部を下方へ回動させるための具体的な構成について説明する。
【００１２】
図３〜図５に示すように、支持部材１９、２０は、前後に分割されており、前側支持部材１９を後側支持部材２０に対して上下回動自在に支持することにより、フィードチェン１２の始端部を下方へ移動させることが可能になる。このように構成すれば、フィードチェン１２の支持部材１９、２０を前後に分割する程度の簡単な構成によって、フィードチェン１２の始端部を下方へ移動させることができる。
【００１３】
前側支持部材１９は、前側従動スプロケット１７を支持するだけでなく、前述のテンションプーリ２２を支持している。このようにすると、前側支持部材１９と一緒にテンションプーリ２２を回動させて、フィードチェン１２を緩めることが可能になるので、フィードチェン１２の始端部の回動を容易にし、前処理開放時の作業性を向上させることができる。また、本実施形態では、前側支持部材１９の一側面を固定カバー２５で覆うと共に、この固定カバー２５に持ち手２６を設けているので、持ち手２６を持ちながらフィードチェン１２の始端部を簡単に上げ下げすることができる。なお、２７はフィードチェン１２の一側面全体を負おう着脱自在なサイドカバーである。
【００１４】
支持部材１９、２０は、フィードチェン１２の摺動面となる板部材２８の下面に角パイプ部材２９を一体的に溶着して構成される。前側支持部材１９の後端部には、断面凵字状の連結部材３０が一体的に溶着されており、この連結部材３０を前後方向に並ぶ二本のボルト３１、３２を介して後側支持部材２０に固定している。本実施形態では、前側ボルト３１を外し、後側ボルト（横方向軸）３２を支点としてフィードチェン１２の始端部を下方へ回動させる。このようにすると、固定用のボルト３２をフィードチェン１２の回動支点に兼用し、構造の簡略化が図れる。
【００１５】
ボルト３１、３２は、連結部材３０の挿通孔３０ａ及び角パイプ部材２９の挿通孔２９ａを左右方向に貫き、連結部材３０の裏側に溶着されるナット３１ａ、３２ａに対してねじ込まれる。このようにすると、ボルト３１を外したとき、ナット３１ａの脱落や紛失を防止できる。また、回動支点となるボルト３２は、カラー３２ｂを介して連結部材３０の挿通孔３０ａに挿通することが好ましい。この場合、ボルト３２と連結部材３０の局部的な摺動を回避し、前側支持部材１９の回動を円滑にすることができる。
【００１６】
後側ボルト３２を支点として前側支持部材１９及びフィードチェン１２を下方へ回動させると、連結部材３０の底面後端部が後側支持部材２０に下側から当接することにより、前側支持部材１９及びフィードチェン１２の回動が制限される。すなわち、本実施形態では、フィードチェン１２を下方へ回動させるにあたり、連結部材３０を下限ストッパに兼用することにより、部品点数の削減及び構造の簡略化を図っている。
【００１７】
叙述の如く構成された本実施形態のコンバイン１は、茎稈の刈取処理を行う前処理部２と、前処理部２の後方で刈取茎稈の脱穀処理を行う脱穀部３と、前処理部２が刈り取った茎稈を脱穀部３の一側に沿って搬送するフィードチェン１２とを備え、前処理部２の縦方向軸１４を支点とする一側への退避回動により、脱穀部３の前方を開放可能とするにあたり、フィードチェン１２の始端部を下方へ移動可能に構成したので、比較的簡単な構成によって、前処理部２とフィードチェン１２の始端部との干渉を回避できる。
【００１８】
また、フィードチェン１２の始端部を、横方向軸（後側ボルト３２）を支点として下方へ回動させるので、フィードチェン１２の始端部を下方へ移動させるための構造が簡単になるだけでなく、フィードチェン１２の始端部の移動を円滑に行うことができる。
【００１９】
また、フィードチェン１２の支持部材１９、２０を前後に分割し、前側支持部材１９を後側支持部材２０に対して上下回動可能に支持することにより、フィードチェン１２の始端部を下方へ移動させるので、フィードチェン１２の支持部材１９、２０を前後に分割する程度の簡単な構成によって、フィードチェン１２の始端部を下方へ移動させることができる。
【００２０】
また、前側支持部材１９を前後方向に並ぶ複数のボルト３１、３２で後側支持部材２０に固定し、後側ボルト３２を支点としてフィードチェン１２の始端部を下方へ回動させるので、専用の支軸を不要にして、更なる構造の簡略化が図れる。
【００２１】
また、フィードチェン１２のテンションプーリ２２を、前側支持部材１９で支持したので、前側支持部材１９と一緒にテンションプーリ２２を回動させ、フィードチェン１２を緩めることが可能になる。これにより、フィードチェン１２の始端部の回動を容易にし、前処理開放時の作業性を向上させることができる。
【００２２】
尚、本発明は、前記実施形態に限定されないものであることは勿論であり、例えば、図６に示す第二実施形態のように、前側ボルト３１を支点として前側支持部材１９を回動させるようにしてもよく、この場合には、第一実施形態で生じ得る問題を解消することができる。すなわち、第一実施形態では、図５の（Ａ）に示すように、ボルト３１、３２と挿通孔２９ａ、３０ａのガタ分だけ前側支持部材１９が自重で下がり、前側支持部材１９と後側支持部材２０との間に前向きの段差が形成され、フィードチェン１２のチェンピンが引っ掛かる可能性があるが、第二実施形態では、前側支持部材１９と後側支持部材２０の間に段差が生じても、その向きは後ろ向きとなるので、フィードチェン１２の引っ掛かりを回避することができる。
【図面の簡単な説明】
【００２３】
【図１】コンバインの側面図である。
【図２】コンバインの平面図である。
【図３】脱穀部の左側面図である。
【図４】（Ａ）は第一実施形態における通常時のフィードチェン始端部を示す左側面図、（Ｂ）は第一実施形態における下方回動時のフィードチェン始端部を示す左側面図である。
【図５】（Ａ）は第一実施形態における通常時（段差発生時）の要部左側面図、（Ｂ）は第一実施形態における下方回動時の要部左側面図、（Ｃ）は第一実施形態におけるＡ−Ａ断面図である。
【図６】（Ａ）は第二実施形態における通常時の要部左側面図、（Ｂ）は第二実施形態における下方回動時の要部左側面図である。
【符号の説明】
【００２４】
１    コンバイン
２    前処理部
３    脱穀部
１２  フィードチェン
１４  縦方向軸
１７  前側従動スプロケット
１８  後側従動スプロケット
１９  前側支持部材
２０  後側支持部材
２１  駆動スプロケット
２２  テンションプーリ
３０  連結部材
３１  前側ボルト
３２  後側ボルト
【図１】
2006197828.tif 000003
【図２】
2006197828.tif 000004
【図３】
2006197828.tif 000005
【図４】
2006197828.tif 000006
【図５】
2006197828.tif 000007
【図６】
2006197828.tif 000008